(57)【特許請求の範囲】
【請求項１】
小径パイプ（１５）の連結側端部にブッシュ（２０）を取り付けて大径パイプ（１１）の内筒内に挿通し連結保持装置（６０）によって伸縮自在に連結保持する構造であって、
前記ブッシュは、圧縮変形自在な弾性体よりなり、前記小径パイプの被接続部の内筒内に挿入できる外周面（２２）を有する本体部（２１）と、前記小径パイプの連結側端部の端縁と当接する段部（２４）を介して前記大径パイプの内筒内に挿入できる外周面（２６）を有する大径部（２５）と、前記本体部と大径部を貫通する締付ボルト（４０）のためのボルト挿通孔（３０）を備えるとともに、前記ボルト挿通孔の本体部側端部（３１）には締付ナット（４１）のためのナット固定部（３５）を有し、かつボルト挿通孔の大径部側端面（３２）には締付ボルトのためのボルト取付座部（３７）を有していて、
前記締付ボルトを前記ボルト挿通孔を貫通して締付ナットに緊締することによってブッシュ本体部の外周面を圧縮膨出させて該ブッシュを小径パイプの内筒に取り付けるとともに、前記大径部の外周面によって大径パイプ内筒との接触を緩和するようにした
ことを特徴とする楽器用スタンドのパイプ連結部の構造。
【発明の詳細な説明】
【０００１】
【発明の属する技術分野】
この発明は、大径パイプの内筒内に小径パイプを挿通し伸縮自在に連結保持する楽器用スタンドのパイプ連結部の構造に関する。
【０００２】
【従来の技術】
例えば、図５に示すシンバルスタンド５０においては、シンバル５１の高さを調節するために、通常金属製のパイプ、ここでは上パイプ５４，中パイプ５３，下パイプ５２を、それぞれの大径パイプ内に小径パイプ、ここでは下パイプ５２に対し中パイプ５３、中パイプ５３に対して上パイプ５４を挿通して伸縮自在に接続保持される。
【０００３】
従来のこの種スタンドパイプの連結部の構造としては、図６に拡大断面図を図示したように、保持用締付ブッシュ６１と保持具本体６６と締付部材７０からなる連結保持装置６０が用いられる。保持用締付ブッシュ６１は、すり割部（図示せず）を有する平面視略Ｃ字形状に形成された筒状体で、該ブッシュ６１内に小径パイプ５４（又は５３。以下同じ）が挿通保持される。保持具本体６６は、一側に大径パイプ５３（又は５２。以下同じ）の端部外周を嵌着保持する筒状の大径パイプ嵌着部６７と、他側に前記保持用締付ブッシュ６１を収容する筒状の締付ブッシュ収容部６８とを有し、前記保持用締付ブッシュ６１に挿通保持された小径パイプ５４を該締付ブッシュ収容部６８に貫通保持する。
【０００４】
このパイプ連結保持装置６０においては、まず保持具本体６６を大径パイプ５３の端部外周に嵌着し、該保持具本体６６の締付ブッシュ収容部６８に小径パイプ５４を挿通した保持用締付ブッシュ６１を収容して、小径パイプ５４の一端が大径パイプ５３内に挿入した状態とする。その後、保持具本体６６外側から締付部材７０を締め込むことによって、小径パイプ５４を締着保持する。
【０００５】
しかるに、このようなパイプの連結構造にあっては、実施例のようなシンバルスタンド５０上部に設けられるシンバル５１やタムタム等を激しく叩いて演奏する際に、振動により、大径パイプ５３内に挿通された小径パイプ５４の連結側端部５４ａが、前記連結保持装置６０を中心として回転移動して大径パイプ５３の内側と接触し余分なノイズ（パイプの接触音）を発生することがしばしばある。
【０００６】
そこで、このような不具合を解消するために、大径パイプ５３と小径パイプ５４の直径差を大きくすることで、大径パイプ５３内における小径パイプ５４の接触を避けることが考えられるが、この種スタンド構造にあっては、選択するパイプの径が限られており、大径パイプ５３を基準とすると小径パイプ５４が細くなって外観上弱々しくなり、小径パイプ５４を基準とすると大径パイプ５３の径が太くなり外観性が低下するばかりかスタンド５０の全体重量が大きくなる問題が生じ好ましくない。やはり、大径パイプ５３と小径パイプ５４の径差は少ない方が外観上好ましい。
【０００７】
【発明が解決しようとする課題】
この発明は、このような問題点に鑑み、簡単な構造で小径パイプと大径パイプとをより確実に接続保持することができ、パイプ同士をよりガタツキなく連結保持することができ、かつ演奏時におけるノイズ防止に高い効果を有する楽器用スタンドのパイプ連結部の構造を提供しようとするものである。
【０００８】
【課題を解決するための手段】
すなわち、この発明は、小径パイプ（１５）の連結側端部にブッシュ（２０）を取り付けて大径パイプ（１１）の内筒内に挿通し連結保持装置（６０）によって伸縮自在に連結保持する構造であって、前記ブッシュは、圧縮変形自在な弾性体よりなり、前記小径パイプの被接続部の内筒内に挿入できる外周面（２２）を有する本体部（２１）と、前記小径パイプの連結側端部の端縁と当接する段部（２４）を介して前記大径パイプの内筒内に挿入できる外周面（２６）を有する大径部（２５）と、前記本体部と大径部を貫通する締付ボルト（４０）のためのボルト挿通孔（３０）を備えるとともに、前記ボルト挿通孔の本体部側端部（３１）には締付ナット（４１）のためのナット固定部（３５）を有し、かつボルト挿通孔の大径部側端面（３２）には締付ボルトのためのボルト取付座部（３７）を有していて、前記締付ボルトを前記ボルト挿通孔を貫通して締付ナットに緊締することによってブッシュ本体部の外周面を圧縮膨出させて該ブッシュを小径パイプの内筒に取り付けるとともに、前記大径部の外周面によって大径パイプ内筒との接触を緩和するようにしたことを特徴とする楽器用スタンドのパイプ連結部の構造に係る。
【０００９】
【発明の実施の形態】
以下添付の図面に従ってこの発明を詳細に説明する。
図１はこの発明の一実施例を示す楽器用スタンドの要部を示す部分断面図、図２はこの発明のパイプ連結部の構造を分解して示す斜視図、図３は要部を拡大して示す断面図、図４は同じく要部を拡大して示す断面図である。
【００１０】
この発明の楽器用スタンドのパイプ連結部の構造は、図１に示すように、楽器用スタンド１０の小径パイプ１５の連結側端部１６にブッシュ２０を取り付けて大径パイプ１１の内筒１２内に挿通し連結保持装置６０によって伸縮自在に連結保持する構造である。なお、この実施例の楽器用スタンド１０は、従来技術の項で説明した図５に示したようなシンバルスタンド５０を例として説明する。
【００１１】
ここで、連結保持装置６０について説明すると、前述し図５に図示したところの、保持用締付ブッシュ６１と保持具本体６６と締付部材７０からなる公知のものである。図１において図５と同一符号は同一部材を表すものとし、その詳細な説明を省略する。
【００１２】
ブッシュ２０は、図２からもよく解るように、圧縮変形自在なゴム又は合成樹脂等の弾性体からなり、本体部２１と大径部２５とボルト挿通孔３０を備える。すなわち、ブッシュ２０の本体部２１は、小径パイプ１５の連結側端部１６の内筒１７（図３，４参照）内に挿入できる外周面２２を有する。この外周面２２は、後述するように、圧縮膨出されることによって小径パイプ１５の内筒１７に圧着するものであるから、その差はなるべく小さい方が好ましい。
【００１３】
また、ブッシュ２０の大径部２５は、小径パイプ１５の連結側端部１６の端縁１８と当接する段部２４を介して形成され、大径パイプ１１の内筒１２内に挿入できる外周面２６を有する。
そして、ボルト挿通孔３０は、前記本体部２１と大径部２５とを貫通して形成されている。
【００１４】
ブッシュ２０の前記ボルト挿通孔３０の本体部側端部３１には、締付ナット４１のためのナット固定部（通常六角穴部）３５を有し、かつボルト挿通孔３１の大径部側端面３２には締付ボルト４０のためのボルト取付座部３７を有している。締付ボルト４０はブッシュ２０のボルト取付座部３７からボルト挿通孔３０に挿通されてナット固定部３５に固定されたナット４１に螺着して、緊締されることによってブッシュ２０をその挿通孔３０方向に圧締する。
【００１５】
このようにしてなるこの構造にあっては、まず小径パイプ１５の所定位置にパイプ連結保持装置６０の保持用締付ブッシュ６１を挿通させたのち（図示せず）、図３に示すように、予め締付ボルト４０を貫通させて該ボルト４０及びナット４１が外れない程度に軽く固定した状態のブッシュ２０の本体部２１を、小径パイプ１５の連結側端部１６の内筒１７内に挿通し、前記段部２４が連結側端部１６の端縁に当接させる。
【００１６】
次いで、この小径パイプ１５の連結側端部１６にブッシュ２０を挿通させた状態で、締付ボルト４０及びナット４１を緊締すると、図４からも解るように、ブッシュ本体部２１の外周面２２が圧縮変形され、図の矢印Ａのようにブッシュ２０の外径（外周面２２）が膨出することによって、小径パイプ１５内で強固に密着固定される。
【００１７】
そして、前記のように保持用締付ブッシュ６１及びブッシュ２０を装着した小径パイプ１５を、パイプ連結保持装置６０である保持具本体６６を端部外周に嵌着した大径パイプ１１内筒１２内に挿入し、前記小径パイプ１５を挿通した保持用締付ブッシュ６１を該保持具本体６６の締付ブッシュ収容部６８に収容した状態とする。
【００１８】
このとき、前記ブッシュ２０が前記パイプ連結保持装置６０に多少引っ掛かることがあるが、少し強く押し込めばよい。その後、保持具本体６６外側から締付部材７０を締め込むことによって、小径パイプ１５を締着保持し、大径パイプ１１及び小径パイプ１５の連結が完了する。
【００１９】
この連結構造を用いた場合には、演奏時に大径パイプ１１内で小径パイプ１５が左右に動いても、小径パイプ１５の径よりも大きいブッシュ２０の大径部２５が大径パイプ１１内で先に接触し緩和するので演奏に害を与えるような金属音が生じることはない。
【００２０】
また、シンバルスタンド１０の高さ調節時に最大限までパイプ小径１５を引き上げた場合にも、前記ブッシュ２０がパイプ連結保持装置６０に引っ掛かるので、誤って抜けてしまう心配もない。なお、持ち運びやメンテナンスのために楽器スタンド１０を分解する場合には、多少強く引っ張れば問題なく外すことができる。
【００２１】
【発明の効果】
以上図示し説明したように、この発明の楽器用スタンドのパイプ連結部の構造によれば、小径パイプに取り付けたブッシュの締付ボルトをボルト挿通孔を貫通して締付ナットに緊締することによってブッシュ本体部の外周面を圧縮膨出させることによって該ブッシュを小径パイプの内筒に取り付けるとともに、前記大径部の外周面によって大径パイプ内筒との接触を緩和するようにしたものであるため、よりガタツキなくパイプを接続保持することができ、演奏時におけるノイズを防止することができる。
【図面の簡単な説明】
【図１】この発明の一実施例を示す楽器用スタンドの要部を示す部分断面図である。
【図２】この発明のパイプ連結部の構造を分解して示す斜視図である。
【図３】要部を拡大して示す断面図である。
【図４】同じく要部を拡大して示す断面図である。
【図５】一般的なシンバルスタンドを示す図である。
【図６】従来のパイプ保持装置の要部を示す部分断面図である。
【符号の説明】
１０  楽器用スタンド
１１  大径パイプ
１５  小径パイプ
２０  保持用保持用締付ブッシュ
２１  ブッシュ本体部
２２  本体部外周面
２４  段部
２５  大径部
２６  大径部外周面
３０  ボルト挿通孔
３２  大径部側端部
３５  ナット固定部
３７  ボルト取付座部
４０  締付ボルト
４１  締付ナット
６０  パイプ連結保持装置
６１  保持用締付ブッシュ
６６  保持具本体
７０  締付部材
【図１】
0003612270.tif 000002
【図２】
0003612270.tif 000003
【図３】
0003612270.tif 000004
【図４】
0003612270.tif 000005
【図５】
0003612270.tif 000006
【図６】
0003612270.tif 000007